(57)【特許請求の範囲】
【請求項１】
果実から果梗を切断する果梗切断装置であって、
開口形成された果梗取入口を上面に有する箱状のケースと、
前記ケース内に回転可能に配設されて前記果梗取入口に進入した前記果梗を切断する回転刃と、を備え、
前記果梗取入口は、前記ケースの前記上面を構成している部材の厚さよりも薄い厚さを有する別の板材に形成されており、該板材が該ケースの該上面に開口形成された板材取付用開口部を塞ぐように該ケースの内面側から固定された状態で、所定位置に設けられており、前記ケースにおける使用者に対向する前面と並行する長穴形状であること
を特徴とする果梗切断装置。
【請求項２】
前記ケースは、前記果梗取入口の周縁領域の厚さが、該周縁領域のさらに外側の領域の厚さよりも薄い形状を有すること
を特徴とする請求項１記載の果梗切断装置。
【請求項３】
前記回転刃は、盤面の上面が前記板材の下面と平行で、且つ、該盤面の該上面と該板材の該下面との隙間が１ｍｍ以下の寸法で近接する位置に配設されていること
を特徴とする請求項１または請求項２記載の果梗切断装置。
【請求項４】
果実から果梗を切断する果梗切断装置であって、
開口形成された果梗取入口を上面に有する箱状のケースと、
前記ケース内に回転可能に配設されて前記果梗取入口に進入した前記果梗を切断する回転刃と、を備え、
前記ケースは、前記上面と使用者に対向する前面との間に、所定角度の傾斜を有する傾斜面が設けられており、
前記果梗取入口は、前記ケースにおける前記前面と並行する長穴形状であること
を特徴とする果梗切断装置。
【請求項５】
前記所定角度は、前記上面と前記傾斜面との挟角αが、１１０°≦α≦１６０°となる角度であること
を特徴とする請求項４記載の果梗切断装置。
【請求項６】
前記ケースは、一方の側面において前記回転刃よりも下方位置に開口形成された果梗取出口と、該ケース内で該果梗取出口に連続するように下降しながら傾斜する面である送出面と、を有すること
を特徴とする請求項１〜５のいずれか一項に記載の果梗切断装置。
【請求項７】
果実から果梗を切断する果梗切断装置であって、
開口形成された果梗取入口を上面に有する箱状のケースと、
前記ケース内に回転可能に配設されて前記果梗取入口に進入した前記果梗を切断する回転刃と、を備え、
前記ケースは、本体部と該本体部に嵌合される蓋部とを有し、
前記本体部は、該本体部に前記蓋部が嵌合された状態で該蓋部に当接して前記回転刃の駆動機構への通電回路をオンにするリミットスイッチを有すると共に、前記回転刃もしくはこれと連動する回転部材に当接可能に設けられて回転を停止させるブレーキと、該ブレーキを該回転刃もしくは該回転部材に当接させる方向に付勢する付勢部材とを有し、
前記蓋部は、前記本体部に嵌合された状態で前記付勢部材の付勢方向と逆方向に前記ブレーキを押動して該ブレーキと前記回転刃もしくは前記回転部材との当接を解除させる押動部材を有し、
前記果梗取入口は、前記ケースにおける使用者に対向する前面と並行する長穴形状であること
を特徴とする果梗切断装置。
【発明の詳細な説明】
【技術分野】
【０００１】
本発明は、果実から果梗を切断する果梗切断装置に関し、特に、干された果実から当該果梗を切断するのに好適に用いることができる果梗切断装置に関する。
【背景技術】
【０００２】
通常、果実を収穫する際に、枝から切り取った時点では果実に果梗（柄、ホゾ等のように称される場合がある）が付いた状態となっている。したがって、生鮮果実もしくは干された果実（ドライフルーツ）として出荷する前に、果梗を切断して果実から除去する作業が行わることがある。
【０００３】
ここで、上記の作業を実施するに際して、特許文献１には、果実の果梗を切断するための切断装置が提案されている。また、特許文献２には、特に用途が干し柿に限定された果梗の切断装置が提案されている。これらの装置によれば、従来、作業者がニッパやハサミを用いて切断していた手作業と比較して、作業効率および安全性の向上が図れるというものである。
【先行技術文献】
【特許文献】
【０００４】
【特許文献１】実全昭５７−００１５９４号公報
【特許文献２】特開平０９−０９８７５６号公報
【発明の概要】
【発明が解決しようとする課題】
【０００５】
しかしながら、特許文献１に例示されるような従来の果梗切断装置は、エンドレスベルトに果実を載置して移動させ、回転刃で果梗を切断するような、いわゆる、自動搬送・自動切断による切断装置である。したがって、従来の手作業に比べて作業効率が向上する反面、特に干し柿等のように、干される工程を経て果肉・果梗・ガク片（ヘタ等のように称される場合がある）のそれぞれが多様に変形を生じている果実の場合には、全ての個体において果梗を一様に商品として適切な位置で切断することが困難であるという課題が生じ得る。
【０００６】
この点、特許文献２に例示されるような従来の果梗切断装置は、人手によって果実（干し柿）の果梗を切断用の開口部に進入させる構成であるため、上記特許文献１の装置よりも、果梗を商品として適切な位置で切断し易くなると思われる。その一方で、切断用のカッターとして対向する二枚刃を備え、果梗を挟んで切断する構成であるため、回転刃を用いる構成と比較して一回の切断に要する作業時間が長くなり作業効率が低下してしまうことや、刃の切れ味がすぐに低下してしまうこと、さらに、刃の交換・位置調整に手間がかかってしまうこと、等の課題が生じ得る。
【０００７】
本発明は、上記事情に鑑みてなされ、特に、干された果実のように果肉・果梗・ガク片のそれぞれが多様に変形を生じている果実であっても、全ての個体において果梗を一様に商品として適切な位置で切断することが可能で、且つ、切断の作業効率が向上できる果梗切断装置を提供することを目的とする。
【課題を解決するための手段】
【０００８】
本発明は、以下に記載するような解決手段により、前記課題を解決する。
【０００９】
本発明に係る果梗切断装置は、果実から果梗を切断する果梗切断装置であって、開口形成された果梗取入口を上面に有する箱状のケースと、前記ケース内に回転可能に配設されて前記果梗取入口に進入した前記果梗を切断する回転刃と、を備え、前記果梗取入口は、前記ケースの前記上面を構成している部材の厚さよりも薄い厚さを有する別の板材に形成されており、該板材が該ケースの該上面に開口形成された板材取付用開口部を塞ぐように該ケースの内面側から固定された状態で、所定位置に設けられており、前記ケースにおける使用者に対向する前面と並行する長穴形状であることを要件とする。
【発明の効果】
【００１０】
本発明によれば、特に、干された果実のように果肉・果梗・ガク片のそれぞれが多様に変形を生じている果実であっても、全ての個体において果梗を一様に商品として適切な位置で切断することできる。また、切断の作業効率を向上させることできる。
【図面の簡単な説明】
【００１１】
【図１】本発明の実施形態に係る果梗切断装置の例を示す概略図である。
【図２】図１に示す果梗切断装置の本体部の例を示す概略図である。
【図３】図２におけるＸ部拡大図である。
【図４】図１に示す果梗切断装置の蓋部の例を示す概略図である。
【図５】図１の果梗切断装置の切断対象の果実（干し柿）の例を示す概略図である。
【図６】図１の果梗切断装置を用いて果実を切断する動作を説明する説明図である。
【図７】図１に示す果梗切断装置の傾斜面の例を示す概略図である。
【図８】図１におけるＹ−Ｙ線断面図である。
【発明を実施するための形態】
【００１２】
以下、図面を参照して、本発明の実施形態について説明する。図１は、本実施形態に係る果梗切断装置１の例を示す概略図（斜視図）である。また、図２は、果梗切断装置１の本体部１２の例を示す概略図（斜視図）である。また、図３は、図２のＸ部拡大図である。また、図４は、果梗切断装置１の蓋部１４（内面側）の例を示す概略図（斜視図）である。なお、実施形態を説明するための全図において、同一の機能を有する部材には同一の符号を付し、その繰り返しの説明は省略する場合がある。
【００１３】
本実施形態に係る果梗切断装置１は、枝から切り取られた果実に付随している果梗を切断して、当該果実から除去する装置である。なお、切断対象の果実Ｆとして干し柿を例に挙げて説明する（図５に概略図を示す）。ただし、本装置は、干し柿以外の果実であっても果梗の切断が可能である。
【００１４】
ここで、特に干し柿に例示される干された果実Ｆは、果肉Ｎ・果梗Ｋ・ガク片Ｇのそれぞれが多様に変形を生じているため、全ての個体において果梗Ｋを一様に商品として適切な位置で切断することがきわめて難しいという課題がある。
【００１５】
その課題を説明するために、干し柿の製造工程の概略を簡単に例示する。先ず、柿を枝から切り取る工程を実施する。この時点で、ある程度の長さを有する果梗Ｋが付随した状態となっている。次に、柿の皮を剥く工程を実施する。次に、柿が横向き（すなわち、果梗Ｋの長手方向が水平）となるようにして、順次、支持部材（一例として、紐に所定間隔で並設されている複数のクリップ）に柿の果梗Ｋを固定（挟持）させて、複数の柿をまとめて紐で吊るせる状態にする工程を実施する。次に、必要に応じて硫黄燻蒸等を行った後、紐を吊るして所定の期間、柿を干す工程を実施する。なお、その期間中において再度、硫黄燻蒸等を行う場合もある。次に、干された柿をクリップから取り外して、当該クリップで挟持されていた果梗Ｋを切断する工程を実施する。次に、果梗Ｋを切断した柿をトレイ等に並べて表面の粉出しを行う工程を実施する。最後に、計量、袋詰めを行って出荷する工程を実施する。
【００１６】
ちなみに、果梗Ｋを切断する理由は、商品として不要な部分であり、ガク片Ｇに近い位置で綺麗に切り揃えることで商品価値が高まるからである。加えて、果梗Ｋが他の果実Ｆの果肉Ｎに接触して傷をつけてしまうとカビ発生の原因となってしまうために、次工程である粉出しを行う工程の前に切断しておく必要があるからである。
【００１７】
上記の工程によって製造される干し柿Ｆは、特に、横向きでクリップにより果梗Ｋが挟持されて干される工程の実施後においては、図５に示すように、ガク片Ｇに対して果肉Ｎが捩れた状態となり、またガク片Ｇから突出する果梗Ｋが湾曲した状態となっている。しかも、柿の大きさに個体差があること、また、枝から切り取る際に作業者によって果梗Ｋを残す長さに差があること、干された時の環境条件に差があること等に起因して、多様な変形が生じることとなる。そのため、全ての個体において果梗Ｋを一様に適切な位置で切断することが難しいという課題が生じる。
【００１８】
この課題に対し、特許文献１に例示される自動搬送・自動切断を行う装置を用いて果梗Ｋを切断する場合、上記の多様な変形に対応した切断ができないため、課題解決はきわめて困難となる。一方、特許文献２に例示される切断装置によれば、作業者が手動で果梗Ｋの切断を行うために、特許文献１記載の上記装置と比較すれば果梗Ｋの切断位置の調整はある程度可能になると思われるものの、変形した状態の干し柿から果梗Ｋを切断し易くする構成を備えているとはいい難い。特に、干し柿は、果梗Ｋをできる限りガク片Ｇに近い位置で、ガク片Ｇと平行に切断することで商品としての価値が高まるとされているが、そのような商品価値を高める果梗Ｋの切断を可能とする構成は何ら備えていない。
【００１９】
これに対して、当該課題の解決を可能とする本実施形態に係る果梗切断装置１について以下に詳しく説明する。
【００２０】
先ず、本実施形態に係る果梗切断装置１は、図１〜図４に示すように、本体部１２と当該本体部１２に上方から嵌合される蓋部１４とを有する箱状のケース１０と、当該ケース１０の内部に回転可能に配設された回転刃４２とを備えて構成されている。この回転刃４２が回転駆動され、ケース１０を構成する蓋部１４の上面に開口形成された果梗取入口３２に進入した果実Ｆの果梗Ｋを回転刃４２で切断する作用をなす。
【００２１】
上記のケース１０を構成する本体部１２は、上部が開口して内部に機器類の収容が可能な略直方体状に形成されている。一方、蓋部１４は、本体部１２の上部の開口部に外嵌可能なように下部が開口する本体部１２よりも浅い略直方体状に形成されている（ただし、特徴的な傾斜面等の構成を備えており、その詳細については後述する）。一例として、本体部１２および蓋部１４は、ステンレス合金（ＳＵＳ３０４）からなる平板状の金属材料を用いて、プレス加工による型抜き・折曲等の工程、溶接工程、および研磨工程等を経て形成される。
【００２２】
ここで、本体部１２と蓋部１４とは、ユリアネジ１６を用いて所定位置で固定されている。ユリアネジ１６を用いることにより、蓋部１４の脱着がし易くなるため、本体部１２内部の清掃や刃の交換等が容易となる効果が得られる。
【００２３】
本体部１２には、上記の回転刃４２と共に、当該回転刃４２を回転駆動する駆動機構（一例として電気モータ）およびその制御を行う制御機構等（いずれも不図示）が収容されている。また、本体部１２の前面には駆動機構の起動・停止を行う電源スイッチ１８が取り付けられている。一例として、回転刃４２の回転数は１５００［ｒｐｍ］程度に設定されている。
【００２４】
また、本体部１２には、蓋部１４が嵌合された状態のときに当接部２２ａが蓋部１４に当接して回転刃４２の駆動機構への通電回路をオンにするリミットスイッチ２２が設けられている。これによれば、回転刃４２が回転駆動された状態で、本体部１２から蓋部１４が外れた場合に、リミットスイッチ２２の当接部２２ａが蓋部１４に当接しない状態となって、回転刃４２の駆動機構への通電回路がオフとなるため、回転刃４２の回転を停止させて、安全を確保することができる。
【００２５】
ただし、回転刃４２の駆動機構への通電回路がオフとなっても、回転刃４２は即時停止をせず、暫くの間、惰性で回転してしまうという問題が生じ得る。この問題に対して、本実施形態においては、本体部１２の内部に、回転刃４２に当接可能に設けられて回転を停止させるブレーキ２４と、当該ブレーキ２４を回転刃４２に当接させる方向に付勢する付勢部材（不図示）とが設けられている。併せて、蓋部１４の内面（ケース１０の内側となる面）には、本体部１２に嵌合された状態のときに付勢部材の付勢方向と逆方向にブレーキ２４を押動して当該ブレーキ２４と回転刃４２との当接を解除させる押動部材２６が設けられている。これによれば、回転刃４２が回転駆動された状態で、本体部１２から蓋部１４が外れた場合に、押動部材２６がブレーキ２４を押動しない状態となって、付勢部材の付勢力によりブレーキ２４が回転刃４２に当接するため、回転刃４２が惰性で回転していたとしても、これを停止させて安全を確保することができる。なお、変形例として、ブレーキ２４を当接させる部材は、回転刃４２に代えて回転部材（例えば、回転軸等）であってもよい（不図示）。
【００２６】
ここで、本体部１２に設けられる回転刃４２には、一例として市販の建材切断用のチップソー等を用いることができる。これによれば、５万個程度の果梗切断が可能となるため、特許文献２に開示の切断刃（二枚刃）と比較して、刃の切れ味が長期に亘って低下せず、交換周期を大幅に長くすることができる。また、交換に際しても使用者自身がホームセンター等で同等品を手軽に入手できると共に、取り付け構造が簡単で調整箇所が少ない（ほぼ皆無である）ため、交換作業がきわめて容易となる。
【００２７】
本願発明者は、特に干し柿Ｆの果梗Ｋを切断するに際しては、回転刃４２として外径φ１００［ｍｍ］、刃数３０のチップソーが好適であることを究明した。仮に同径で刃数が多いものを用いた場合、刃と刃との間に果梗Ｋが詰まり、切断性能が低下する不具合が生じ得るためである。
【００２８】
一方、ケース１０の上面１０ｄには、上記の果梗取入口３２が開口形成されている。この果梗取入口３２は、ケース１０の前面１０ａ（使用者に対向する面）と並行する方向（すなわち、ケース１０の一方の側面１０ｂから他方の側面１０ｃへ向かう方向および逆方向）に長い長穴形状に形成されている。
【００２９】
なお、ケース１０の上面１０ｄにおいて上方に突起するように形成されている突起部１０ｆは、回転刃４２を回転軸（不図示）に固定するボルト４４が当接しないように逃げを設けるための構成である。この突起部１０ｆを備えることによって、回転刃４２の盤面と上面１０ｄとの近接配置（詳細は後述）が可能となる。
【００３０】
本実施形態においては、果梗取入口３２は、蓋部１４の上面に設けられており、一方の側面１０ｂ寄りの位置において平面視の開口幅が相対的に広く形成されて果梗Ｋを進入させる進入部３２ａを有すると共に、当該進入部３２ａから他方の側面１０ｃ方向に向かって平面視の開口幅が相対的に徐々に狭くなっていき果梗Ｋの切断が行われる切断部３２ｂに至る長穴形状に形成されている。すなわち、平面視において、果梗取入口３２の切断部３２ｂの位置と、回転刃４２の刃先の位置とが重なるように相互に配置されている。
【００３１】
この構成によれば、開口幅が広い進入部３２ａを有することにより、果梗Ｋを果梗取入口３２内へ進入させ易くすることができる。さらに、果梗Ｋを進入させた状態で開口幅が狭い切断部３２ｂまで果実Ｆをスライド移動させ、その位置で切断することにより、切断時の果梗Ｋのブレが防止できるため切断面を綺麗に仕上げることができ、且つ、切断された果梗Ｋが外部へ飛散することも防止できる。
【００３２】
また、果梗取入口３２は、進入部３２ａ側の端部が、ケース１０の上面１０ｄから側面１０ｂに至る領域まで連続して開口する形状に形成されている。これによれば、果実Ｆを横方向に移動させるだけでその果梗Ｋを果梗取入口３２内へ進入させることができ、上下方向の移動が不要となるため、切断作業がより一層、容易となる。なお、変形例として、進入部３２ａ側の端部がケース１０の側面１０ｂまで至らずに上面１０ｄの領域内に収まるように果梗取入口３２を形成する構成も考えられる（不図示）。
【００３３】
なお、本実施形態においては、果梗取入口３２の形成位置を、進入部３２ａが側面１０ｂ寄りの位置となるように構成しているが、これに限定されるものではなく、使用者の利き手等の条件に応じて、進入部３２ａが側面１０ｃ寄りの位置となるように、いわば左右反転した構成としてもよい（不図示）。
【００３４】
ここで、図１に示すように、ケース１０は、上面１０ｄと前面１０ａとの間に、所定角度の傾斜を有する傾斜面１０ｅが設けられている。つまり、上面１０ｄと傾斜面１０ｅとが連続し、傾斜面１０ｅと前面１０ａとが連続する構成となっている。なお、本実施形態においては、傾斜面１０ｅはケース１０を構成する蓋部１４に設けられているが、変形例として、蓋部１４および本体部１２の形状を変更することにより、傾斜面１０ｅを本体部１２に設ける構成とすることもできる（不図示）。
【００３５】
上記構成に加えて、回転刃４２の盤面（上面）がケース１０の上面１０ｄの下面（ケース１０の内側となる面）と平行となるように配設された構成を備えている。
【００３６】
これらの構成を備えることによって、果梗取入口３２に果梗Ｋを進入させる際に、図６に示すように、捩れた果肉Ｎの部分を傾斜面１０ｅの面上に回避させることができるため、全て（柿の場合は四枚）のガク片Ｇが果梗取入口３２の周縁面（ケース１０の上面１０ｄ）と平行なるようにして当該周縁面に当接させて載置することでき、その状態で果梗Ｋを果梗取入口３２に進入させることが可能となる。したがって、多様な変形が生じている場合であっても、全ての個体に対応して果梗Ｋを一様に商品として適切な位置、すなわち、果梗Ｋをガク片Ｇと平行となる位置で切断することが可能となる。
【００３７】
また、切断の際には、果梗Ｋを進入部３２ａから切断部３２ｂへ移動させる動作が行われる。このとき、使用者の干し柿を把持する手がちょうど傾斜面１０ｅに沿うように載置可能となる。したがって、傾斜面１０ｅによって手が支持された状態でスライド移動を行うことが可能となるため、作業負担が軽減され、疲労防止を図ることも可能となる。
【００３８】
なお、傾斜面１０ｅの傾斜角度については、図７に示すように、上面１０ｄと傾斜面１０ｅとの挟角αが、１１０［°］≦α≦１６０［°］となる角度が好適である。さらに、α＝１３０［°］程度の角度が最も好適である。この構成によれば、上記の作用効果がより一層顕著に得られるためである。
【００３９】
次に、図８（図１のＹ−Ｙ線断面図）に示すようにケース１０は、果梗取入口３２の周縁領域Ａの板厚Ｄ１が、当該周縁領域Ａのさらに外側の領域Ｂの板厚Ｄ２よりも薄い形状を有している（ただし、固定のために平面視でオーバーラップ部分を有する）。一例として、本実施形態においては、ケース１０の上面１０ｄを構成している部材とは別に、その部材の厚さＤ２よりも薄い厚さＤ１を有する別の部材（平板状の板材２０）が用意され、当該板材２０に果梗取入口３２が形成されている。一方、ケース１０の上面１０ｄには、果梗取入口３２を設ける予定位置において当該果梗取入口３２の大きさよりも大きく開口された板材取付用開口部１０ｇが形成されている。ここで、上面１０ｄの板材取付用開口部１０ｇを塞ぐように、果梗取入口３２が形成された板材２０が上面１０ｄにおけるケース内面側から固定（ここでは、溶接）された構成となっている。このようにして、図８に示す構成を有する果梗取入口３２が、ケース１０の上面１０ｄの所定位置に設けられる。
【００４０】
なお、一例として、板材２０はケース１０と同様にステンレス合金（ＳＵＳ３０４）を用いて形成されており、Ｄ１＝０．３［ｍｍ］、Ｄ２＝１．０［ｍｍ］に設定されている。
【００４１】
上記の構成によれば、果梗取入口３２の周縁領域Ａが相対的に薄く形成されているため、果実Ｆのガク片Ｇを果梗取入口３２の周縁面（すなわち領域Ａの面）に当接させたときに、当該ガク片Ｇを回転刃４２により近づけることができる。そのため、果梗Ｋを果梗取入口３２により深く（ガク片Ｇに近い位置まで）進入させることが可能となる。したがって、全ての個体に対応して果梗Ｋを商品として適切な位置、すなわち、果梗Ｋをできる限りガク片Ｇに近い位置で切断することが可能となる。また、このように周縁領域Ａのみを薄く形成する構成によって、ケース１０全体の強度確保も両立することができる。
【００４２】
さらに、回転刃４２の盤面（上面４２ａ）と板材２０の下面２０ａとの隙間Ｌ１が、Ｌ１≦１［ｍｍ］となる寸法で近接する位置に配設されている。この構成によれば、果梗取入口３２の周縁面と回転刃４２とをより一層近づけること可能となる。したがって、果梗取入口３２に進入させた果梗Ｋを、より一層、ガク片Ｇに近い位置で切断することが可能となる。なお、一例として、Ｌ１＝０．２［ｍｍ］に設定されている。
【００４３】
なお、切断された果梗Ｋは、果梗取出口３４からケース１０の外部に排出される。本実施形態においては、ケース１０の一方の側面１０ｂにおける回転刃４２の盤面よりも上下方向で下方となる位置に果梗取出口３４が開口形成されている。さらに、ケース１０の本体部１２の内部において、回転刃４２の下から果梗取出口３４に連続するように下降しながら傾斜する面である送出面３６が設けられている。当該送出面３６は、下端部３６ａが果梗取出口３４よりもケース１０の外方へ突出した位置となるように配設されている。
【００４４】
これによれば、果梗取入口３２に進入させ、回転刃４２により切断された果梗Ｋは、送出面３６を滑り落ちていき、果梗取出口３４からケース１０の外部に排出される。したがって、従来装置のように、頻繁に刃の駆動を停止させて、本体部の内部から切断された果梗を取り出す作業が必要ないため、作業効率を向上させることができる。
【００４５】
最後に、上記構成を備える果梗切断装置１を用いて果実Ｆの果梗Ｋを切断する動作について、概略を説明すると以下のようになる。
【００４６】
先ず、電源スイッチ１８をオンにして、回転刃４２を回転状態とする。次いで、果梗Ｋが下を向くようにして果実Ｆを手で把持する。次いで、果梗Ｋを果梗取入口３２の進入部３２ａに進入させる。このとき、全てのガク片Ｇが果梗取入口３２の周縁面に接触するように配置する。次いで、把持した手を傾斜面に沿って横方向に移動させて、果梗Ｋを果梗取入口３２の進入部３２ａから切断部３２ｂへ移動させる。このとき、切断部３２ｂへ移動して回転刃４２の刃先と当接した果梗Ｋが切断される。次いで、切断された果梗Ｋが送出面３６を滑り落ちて、果梗取出口３４からケース１０の外部に排出される。
【００４７】
以上説明した通り、本発明によれば、果実の果梗を切断する果梗切断装置、特に、枝から切り取られた後に果梗が支持部材に固定されて干された果実から当該果梗を切断するのに好適な果梗切断装置が実現できる。すなわち、干された果実のように果肉・果梗・ガク片のそれぞれが多様に変形を生じている果実であっても、全ての個体において果梗を一様に商品として適切な位置で切断することが可能となる。より具体的には、果梗をできる限りガク片に近い位置で、ガク片と平行に切断することが可能となるため、商品価値を高めることが可能となる。
【００４８】
また、回転刃を用いて連続的に果梗を切断する構成によって、一回の切断に要する作業時間が短くでき、作業効率を向上させることが可能となる。また、対向する二枚刃で挟み込んで切断する構成と比較して、長期に亘って刃の切れ味の低下を防止することが可能となる。また、刃の交換や、内部の清掃も容易に行うことが可能となる。
【００４９】
なお、本発明は、以上説明した実施例に限定されることなく、本発明を逸脱しない範囲において種々変更可能である。特に、切断対象の果実として干し柿を例に挙げて説明したが、本装置は、干し柿以外の果実であっても果梗の切断が可能である。
【符号の説明】
【００５０】
１  果梗切断装置
１０  ケース
１０ａ  前面
１０ｂ  一方の側面
１０ｃ  他方の側面
１０ｄ  上面
１０ｅ  傾斜面
１０ｆ  突起部
１０ｇ  板材取付用開口部
１２  本体部
１４  蓋部
１６  ユリアネジ
１８  電源スイッチ
２０  板材
２２  リミットスイッチ
２４  ブレーキ
２６  押動部材
３２  果梗取入口
３２ａ  進入部
３２ｂ  切断部
３４  果梗取出口
３６  送出面
４２  回転刃
４４  ボルト
Ｆ  果実
Ｇ  ガク片
Ｋ  果梗
Ｎ  果肉
【要約】
【課題】干された果実のように果肉・果梗・ガク片のそれぞれが多様に変形を生じている果実であっても、全ての個体において果梗を一様に商品として適切な位置で切断することが可能で、且つ、切断の作業効率が向上できる果梗切断装置を提供する。
【解決手段】本発明に係る果梗切断装置１は、果実Ｆから果梗Ｋを切断する果梗切断装置であって、開口形成された果梗取入口３２を上面１０ｄに有する箱状のケース１０と、ケース１０内に回転可能に配設されて果梗取入口３２に進入した果梗Ｋを切断する回転刃４２と、を備え、果梗取入口３２は、ケース１０における使用者に対向する前面１０ａと並行する長穴形状である。
【選択図】図１【図１】
0006041235.tif 000002
【図２】
0006041235.tif 000003
【図３】
0006041235.tif 000004
【図４】
0006041235.tif 000005
【図５】
0006041235.tif 000006
【図６】
0006041235.tif 000007
【図７】
0006041235.tif 000008
【図８】
0006041235.tif 000009